【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
発呼側電話機および相手先電話機による通話セッションを、仲介電話機を介して実行可能にするための方法であって、
（ａ）相手先電話機のコンタクト情報について仲介電話機を検索できるよう、発呼側電話機によって仲介電話機へと照会要求を送信できるようにするステップ、および
（ｂ）相手先電話機のコンタクト情報が仲介電話機にて入手可能である場合に、仲介電話機内のコンタクト情報を使用して発呼側電話機が相手先電話機との通話セッションを実行できるようにするステップ
を含み、
ステップ（ｂ）が、
相手先電話機のコンタクト情報が仲介電話機にて入手可能である場合に、仲介電話機によって発呼側電話機との接続を自動的に保持しつつ、続いて自動的に相手先電話機を呼び出すことができるよう、仲介電話機において転送機能を実行するステップ、および
仲介電話機が相手先電話機が呼び出しに応答した旨を受信した場合に、相手先電話機と発呼側電話機との間の接続を確立するステップ
を含んでいる
発呼側電話機および相手先電話機による通話セッションを、仲介電話機を介して実行可能にするための方法。
【請求項２】
照会要求が、相手先電話機のコードを含んでいる
発呼側電話機および相手先電話機による通話セッションを、仲介電話機を介して実行可能にするための請求項１に記載の方法。
【請求項３】
コンタクト情報が、相手先電話機の電話番号を含んでいる
発呼側電話機および相手先電話機による通話セッションを、仲介電話機を介して実行可能にするための請求項１に記載の方法。
【請求項４】
ステップ（ａ）が、
（ａ１）発呼側電話機を通じて照会要求を入力するステップ、および
（ａ２）発呼側電話機を使用し、仲介電話機を呼び出すとともに仲介電話機へと照会要求を送信して、相手先電話機のコンタクト情報について仲介電話機を検索するステップ
を含んでいる
発呼側電話機および相手先電話機による通話セッションを、仲介電話機を介して実行可能にするための請求項１に記載の方法。
【請求項５】
コンタクト情報が、ＳＭＳ、ＭＭＳ、電子メール、およびＤＴＭＦで構成されるグループから選択されるやり方で発呼側電話機へと送信される
発呼側電話機および相手先電話機による通話セッションを、仲介電話機を介して実行可能にするための請求項１に記載の方法。
【請求項６】
発呼側電話機および相手先電話機による通話セッションを、仲介電話機を介して実行可能にするためのシステムであって、
相手先電話機と、
相手先電話機のコンタクト情報を有している仲介電話機と、
照会要求を入力し、仲介電話機から相手先電話機のコンタクト情報を検索すべく、仲介電話機を呼び出して仲介電話機へと照会要求を送信し、そのようにして発見したコンタクト情報にもとづいて相手先電話機との通話セッションを実行するための発呼側電話機と
を含んでいるシステム。
【請求項７】
照会要求が、相手先電話機のコードを含んでいる
発呼側電話機および相手先電話機による通話セッションを、仲介電話機を介して実行可能にするための請求項６に記載のシステム。
【請求項８】
コンタクト情報が、相手先電話機の電話番号を含んでいる
発呼側電話機および相手先電話機による通話セッションを、仲介電話機を介して実行可能にするための請求項６に記載のシステム。
【請求項９】
仲介電話機が、発呼側電話機が仲介電話機から送信されたコンタクト情報にもとづいて自動的に相手先電話機を呼び出すことができるよう、仲介電話機によって発呼側電話機へとコンタクト情報を送信できるようにするリダイレクト機能を有している
発呼側電話機および相手先電話機による通話セッションを、仲介電話機を介して実行可能にするための請求項６に記載のシステム。
【請求項１０】
コンタクト情報が、ＳＭＳ、ＭＭＳ、電子メール、およびＤＴＭＦで構成されるグループから選択されるやり方で発呼側電話機へと送信される
発呼側電話機および相手先電話機による通話セッションを、仲介電話機を介して実行可能にするための請求項９に記載のシステム。
【請求項１１】
仲介電話機が、仲介電話機が発呼側電話機との接続を自動的に保持し、相手先電話機を自動的に呼び出して相手先電話機と発呼側電話機との間の通話セッションを確立できるようにする転送機能を有している
発呼側電話機および相手先電話機による通話セッションを、仲介電話機を介して実行可能にするための請求項６に記載のシステム。
【請求項１２】
発呼側電話機と、仲介電話機と、相手先電話機とを含んでいるシステムにおいて発呼側電話機および仲介電話機のうちの一方として使用できる電話機であって、
プロセッサと、
当該電話機が発呼側電話機として使用される場合に、仲介電話機のプロセッサへと送信されて相手先電話機のコンタクト情報が仲介電話機において入手可能であるかを尋ねるために使用される照会要求を、入力するために使用される入力ユニットと、
当該電話機が仲介電話機として使用される場合に、相手先電話機のコンタクト情報を保存するデータベースと、
当該電話機が仲介電話機として使用される場合に、相手先電話機のコンタクト情報を探して仲介電話機内のデータベースを検索するために使用される検索ボタン・ユニットと、
当該電話機が仲介電話機として使用される場合に、発呼側電話機からの照会要求を受信および表示するために使用され、さらに当該電話機が仲介電話機として使用される場合に、仲介電話機の検索ボタン・ユニットを使用して仲介電話機のデータベースを検索した後に相手先電話機のコンタクト情報を表示するために使用される表示ユニットと、
通信ユニットと、
当該電話機が仲介電話機として使用される場合に、リダイレクト実行信号および転送実行信号のうちの一方である送信実行信号を送信するために動作することが可能である送信ボタン・ユニットと、
当該電話機が仲介電話機として使用される場合に、送信ボタン・ユニットからの送信実行信号を受け取るために使用される送信機能実行ユニットと
を有しており、
送信実行信号がリダイレクト実行信号である場合には、仲介電話機の前記送信機能実行ユニットが、仲介電話機の前記データベースに保存されているとおりの相手先電話機のコンタクト情報を、仲介電話機の通信ユニットを通じて発呼側電話機へと送信し、発呼側電話機の送信機能実行ユニットが、発呼側電話機の通信ユニットを通じて仲介電話機から相手先電話機のコンタクト情報を受信するとともに、相手先電話機のコンタクト情報にもとづいて相手先電話機を呼び出すために、発呼側電話機の通信ユニットへと第１のダイアル電話信号を送信し、
送信実行信号が転送実行信号である場合には、仲介電話機の送信機能実行ユニットが、発呼側電話機との接続を保持し、仲介電話機の前記データベースに保存され仲介電話機の表示ユニットに表示されたとおりの相手先電話機のコンタクト情報を入手し、相手先電話機を呼び出すべく仲介電話機の通信ユニットへと第２のダイアル電話信号を送信し、相手先電話機と発呼側電話機との間の通話セッションを確立する電話機。
【請求項１３】
さらに、発呼側電話機の送信機能実行ユニットが、相手先電話機のコンタクト情報を発呼側電話機のデータベースへと、該データベースへの保存のために送信できる請求項１２に記載の電話機。
【請求項１４】
照会要求が、相手先電話機のコードを含んでいる請求項１２に記載の電話機。
【請求項１５】
コンタクト情報が、相手先電話機の電話番号を含んでいる請求項１２に記載の電話機。
【請求項１６】
コンタクト情報が、ＳＭＳ、ＭＭＳ、電子メール、およびＤＴＭＦで構成されるグループから選択されるやり方で発呼側電話機へと送信される請求項１２に記載の電話機。
【手続補正２】
【補正対象書類名】明細書
【補正対象項目名】００２８
【補正方法】変更
【補正の内容】
【００２８】
リダイレクト実行信号を受信した場合、仲介電話機１２の送信機能実行ユニット１０４は、データベース１０５に保存されている相手先電話機１３のコンタクト情報を、通信ユニット１０７を介して発呼側電話機１１へと送信する。また、発呼側電話機１１の送信機能実行ユニット１０４は、仲介電話機１２から送信された相手先電話機１３のコンタクト情報を、自身の通信ユニット１０７を介して受け取り、相手先電話機１３のコンタクト情報にもとづいて相手先電話機１３を呼び出すべく、自身の通信ユニット１０７へと第１のダイアル電話信号を送信する。さらに、「リダイレクト」モードの実行のプロセスにおいて、発呼側電話機１１の送信機能実行ユニット１０４は、保存のために発呼側電話機１１のデータベース１０５へと相手先電話機１３のコンタクト情報を送信することも可能である。
【手続補正３】
【補正対象書類名】図面
【補正対象項目名】図９
【補正方法】変更
【補正の内容】
【図９】
2008533758.tif 000001
【手続補正４】
【補正対象書類名】図面
【補正対象項目名】図１０
【補正方法】変更
【補正の内容】
【図１０】
2008533758.tif 000002